【手続補正書】
【提出日】平成17年10月27日(2005.10.27)
【手続補正１】
【補正対象書類名】明細書
【補正対象項目名】特許請求の範囲
【補正方法】変更
【補正の内容】
【特許請求の範囲】
【請求項１】  胴と複数の弦とを有する弦楽器に設けられ、前記胴と前記複数の弦とに挟持されて、前記複数の弦の振動に応じて変形する板状の部材であって、切欠を有する本体部と、
前記切欠に隙間をもって収容され、前記本体部の変形を検出する検出手段と、
前記切欠の間隙に充填された塑性材料と、
を具備することを特徴とする弦楽器用駒。
【請求項２】  胴と複数の弦とを有する弦楽器に設けられ、前記胴と前記複数の弦とに挟持されて、前記複数の弦の振動に応じて変形する板状の部材であって、切欠を有する本体部と、
前記切欠に隙間をもって収容され、前記本体部の変形を検出する検出手段とを具備し、
前記検出手段は、前記切欠の内壁に近接配置され、前記本体部の変形によって前記内壁に押動されることを特徴とする弦楽器用駒。
【請求項３】  前記切欠は、三又状に形成され、前記本体部の表面に対して垂直方向に延びる切欠と、この切欠から分岐して互いに離間するように上斜め方向に延びる切欠を有していることを特徴とする請求項１または２に記載の弦楽器用駒。
【請求項４】  前記検出手段は、変形に応じて起電力を出力する２つの圧電素子であり、各々の圧電素子は、前記本体部の変形に伴って出力する起電力の極性が相互に打ち消さないように接続されることを特徴とする請求項１から３いずれかに記載の弦楽器用駒。
【請求項５】  前記胴は、前記複数の弦の振動に共鳴する共鳴体であり、
前記本体部は、前記複数の弦の振動を前記胴に伝達する
ことを特徴とする請求項１ないし４のいずれかに記載の弦楽器用駒。
【請求項６】  前記切欠は、前記本体部を貫通していないことを特徴とする請求項１ないし５いずれかに記載の弦楽器用駒。
【請求項７】  請求項１ないし６のいずれかに記載の弦楽器用駒を有することを特徴とする弦楽器。
【手続補正２】
【補正対象書類名】明細書
【補正対象項目名】０００８
【補正方法】変更
【補正の内容】
【０００８】
【課題を解決するための手段】
上記課題を解決するために、本発明に係る駒は、胴と複数の弦とを有する弦楽器に設けられ、前記胴と前記複数の弦とに挟持されて、前記複数の弦の振動に応じて変形する板状の部材であって、切欠を有する本体部と、前記切欠に隙間をもって収容され、前記本体部の変形を検出する検出手段と、前記切欠の間隙に充填された塑性材料とを具備することを特徴とする。
かかる駒によれば、検出手段は、三又状の切欠に隙間をもって収容されているため、張弦による駒への加圧力の影響を受けることがない。従って、従来技術と比較して演奏動作による駒の挙動検出の自由度が増す。この結果、微妙な弦振動の変化をより精緻に検出することが可能となる。また、切欠に充填する充填材として、弾性を有さない塑性材料を採用している。これにより、充填材たる塑性材料が本体部の変形に抗して復帰するといったことがなく、塑性材料によって本体部の変形を正確に検出手段に伝達することができる。さらに、本体部は、一般的な自然弦楽器に設けられる駒に切欠を形成することのみにより得ることができるため、駒の取り付けや調整などの作業を一般的な駒と同様に行うことができる。
【手続補正３】
【補正対象書類名】明細書
【補正対象項目名】００１９
【補正方法】変更
【補正の内容】
【００１９】
図１において、サウンドユニット１８０は、ジャック１６０から出力される楽音信号に各種の処理を施したうえで放音ユニット１８２に出力する。具体的にはサウンドユニット１８０は、残響音などのエフェクトを楽音信号に付与したり、楽音信号を増幅したりする。なお、サウンドユニット１８０は、この実施形態で例示するようにバイオリン１００と別体の装置であっても良いし、バイオリン１００に搭載される装置であっても良い。また、放音ユニット１８２は、サウンドユニット１８０から供給された楽音信号に応じて放音する装置である。この放音ユニット１８２としては例えばスピーカが採用される。
弓１９０は、ハンドル１２が設けられた弓身１９３および弓毛１９４を有している。演奏者は、ハンドル１９２を握り弓毛によって擦弦する。
【手続補正４】
【補正対象書類名】明細書
【補正対象項目名】００２７
【補正方法】変更
【補正の内容】
【００２７】
この構成の下、バイモルフ型圧電素子２５０が、例えば図中破線で示すように、センサホルダ２４０ａに支持される側の端を支点として圧電素子２５２ａからみて圧電素子２５２ｂの方向（図中右側）に変形すると、圧電素子２５２ａは、その長手方向について伸張する一方で、圧電素子２５２ｂは、その長手方向について収縮する。これによりバイモルフ型圧電素子２５０の表面間においては、圧電素子２５２ａの表面に対して圧電素子２５２ｂの表面が正側となるような電位差（起電力）が生じる。このようなバイモルフ型圧電素子２５０は、変形の方向に応じて起電力の極性が変化すると共に、変形量が大きくなるほど起電力が大きくなるという特性を有している。なお、センサホルダ２４０ｂにおいても、以上説明した構成と同様なバイモルフ型圧電素子２５０が取り付けられている。
【手続補正５】
【補正対象書類名】明細書
【補正対象項目名】００２８
【補正方法】変更
【補正の内容】
【００２８】
再び図３において、各バイモルフ型圧電素子２５０は、変形の検出方向たる分極方向Ｐが本体部２１０の板面２１０Ｓと略平行となるように切欠２３０ａあるいは２３０ｂに収容される。切欠２３０に収容された２つのバイモルフ型圧電素子２５０は、中心線Ｏ−Ｏ’を基準として略対称となるように位置する。また、各バイモルフ型圧電素子２５０は、切欠２３０をなす内壁面２３０Ｓ（図４参照）と離間するようにセンサホルダ２４０ａあるいは２４０ｂにより保持される。内壁面２３０Ｓとバイモルフ型圧電素子２５０との隙間には、油土等の塑性材料２６０が充填される。この塑性材料２６０は、内壁面２３０Ｓの変形をバイモルフ型圧電素子２５０に伝達する役割を果たす。なお、特に図示はしないが、本体部２１０のうち切欠２３０が形成された部分には、バイモルフ型圧電素子２５０および塑性材料２６０を保護するためのカバーが設けられる。
【手続補正６】
【補正対象書類名】明細書
【補正対象項目名】００３１
【補正方法】変更
【補正の内容】
【００３１】
一方、２つのバイモルフ型圧電素子２５０のうち各々の圧電素子２５２ａの表面は電線２５６ａにより接続されている。この電線２５６ａは、リード線２０２の外部導体２０２Ｏに中継されたうえで銅箔１５６に接続されている。ここで、銅箔１５６は、各弦１３０と導通しているため、演奏時においては、銅箔１５６は各弦１３０を介して演奏者の指と導通する。したがって、銅箔１５６は人体と同電位となり接地した状態となる。これにより、銅箔１５６と導通状態にある外部導体２０２Ｏが接地されるため、リード線２０２のうち内部導体２０２Ｉを介して伝送される信号に悪影響を与えるノイズを低減させることができる。一方、アース線１５８は、上述したように銅箔１５６と接続されており、そのコネクタ１５９ｂがジャック１６０に設けられたコネクタ１６４ｂに取り付けられると、ジャック１６０の出力端子対１６５のうち他方の端子が接地される。つまり、この例では、出力端子対１６５の他方の端子と各圧電素子２５２ａの表面とが接地電位にて導通している。
【手続補正７】
【補正対象書類名】明細書
【補正対象項目名】００３３
【補正方法】変更
【補正の内容】
【００３３】
上述したように各バイモルフ型圧電素子２５０は、圧電素子２５２ａの表面同士および圧電素子２５２ｂの表面同士が独立に接続されたうえで、リード線２０２などを介してジャック１６０の出力端子１６５と接続されている（図７参照）。ここで、上述したように切欠２３０ａに収容される圧電素子２５２ａおよび切欠２３０ｂに収容される圧電素子２５２ａの組と、切欠２３０ａに収容される圧電素子２５２ｂおよび切欠２３０ｂに収容される圧電素子２５２ｂの組とはそれぞれ同極性を示す。このため、前掲図７に示すように結線することにより、各バイモルフ型圧電素子２５０は、同極性の面同士が並列接続されたうえでジャック１６０と接続される。これにより、各バイモルフ型圧電素子２５０により生成された起電力が互いに打ち消し合うおそれがない。
【手続補正８】
【補正対象書類名】明細書
【補正対象項目名】００３４
【補正方法】変更
【補正の内容】
【００３４】
このようにしてジャック１６０から出力された楽音信号は、サウンドユニット１８０（図１参照）によって、各種エフェクトの付加や、信号レベルの増幅などがなされた後、放音ユニット１８２に供給される。放音ユニット１８２は、サウンドユニット１８０から供給される楽音信号に応じて放音する。
【手続補正９】
【補正対象書類名】明細書
【補正対象項目名】００３５
【補正方法】変更
【補正の内容】
【００３５】
以上説明したように本実施形態によれば、本体部２１０の板面２１０Ｓに切欠２３０を形成し、その切欠２３０に隙間をなすように収容されたバイモルフ型圧電素子２５０により本体部２１０の変形を検出する構成を採っているため、従来技術と比較して、以下のような利点を有する。まず、本実施形態においては、バイモルフ型圧電素子２５０の一端はセンサホルダ２４０ａおよび２４０ｂによって固定されているものの、それ以外の部分は塑性材料２６０と接触しているに過ぎない。このため、バイモルフ型圧電素子２５０は、比較的自由に揺動することができる。この結果、駒２００によれば、従来技術において説明した駒と表板との間にセンサを介在させる検出方法と比較して、張弦による加圧力の影響を受けることがないため、センサにおける振動の自由度が増し、弦振動をよりセンシティブに検出することが可能となる。これにより、楽音信号に対して補正処理などを施さなくとも、楽音信号を単に増幅して放音するのみで、極めて高い精度にて自然弦楽器からの楽音を再現することができる。